【手続補正書】
【提出日】平成16年6月22日(2004.6.22)
【手続補正１】
【補正対象書類名】明細書
【補正対象項目名】特許請求の範囲
【補正方法】変更
【補正の内容】
【特許請求の範囲】
【請求項１】  複数のアッセイにおいて生じた一つまたは複数の検体を検出するマイクロ構造装置であって、前記マイクロ構造装置が、内部に配置されたマイクロチャネル構造物の配列体を有する可撓細長状積層物を具備しており、前記可撓細長状積層物は第一の表面を有する第一の薄片と第二の表面を有する第二の薄片とを具備しており、前記第一および第二の薄片のうちの少なくとも一方が複数の開口部を有しており、それにより、前記第一の薄片の前記第一の表面が前記第二の薄片の前記第二の表面に並置されるときに、前記複数の開口部のうちの各開口部が複数の前記マイクロチャネル構造物の一つに連通するようになっているマイクロ構造装置において、
前記マイクロチャネル構造物が、
開口部に位置する試料供給用リザーバと、
一つまたは複数のマイクロチャネル部分により前記試料供給用リザーバに接続された試料排出用リザーバと、
溶離緩衝用リザーバと、
検体排出用リザーバと、
前記溶離緩衝用リザーバと前記検体排出用リザーバとを接続していて、前記一つまたは複数のマイクロチャネル部分に交差すると共にこれらマイクロチャネル部分に連通する分離用チャネルと、
電流媒体が前記一つまたは複数のマイクロチャネル部分に存在するときに前記試料供給用リザーバと前記試料排出用リザーバとの間に電界を形成すると共に、電流媒体が前記分離用チャネルに存在するときに前記溶離緩衝用リザーバと前記検体排出用リザーバとの間に電界を形成するために導電トレースに接続された複数の電極とを具備するマイクロ構造装置。
【請求項２】  さらに、前記第一の薄片に隣接するフレキシブル回路薄片を具備し、前記フレキシブル回路薄片は前記複数の電極に接続された導電トレースを含んでいる請求項１に記載のマイクロ構造装置。
【請求項３】  前記マイクロチャネル構造物の配列体は１２×８の直交配置または２４×１６の直交配置をなすように配置されている請求項２に記載のマイクロ構造装置。
【請求項４】  前記第一の薄片、前記第二の薄片および前記フレキシブル回路薄片がプラスチックである請求項２に記載のマイクロ構造装置。
【手続補正２】
【補正対象書類名】明細書
【補正対象項目名】００１６
【補正方法】変更
【補正の内容】
【００１６】
米国特許第６１７６９６２号明細書は、マイクロチャネル構造を形成する平面を有するポリマーのカード形または皿形ベースプレートと平面ポリマー製カバーとによるマイクロチャネル構造の製作方法を説明している。このマイクロチャネル構造は、カバーとベースプレートとの平面を結合することで密閉される。
【手続補正３】
【補正対象書類名】明細書
【補正対象項目名】００２８
【補正方法】変更
【補正の内容】
【００２８】
一般的に、本願明細書において使用される「マイクロ構造（ｍｉｃｒｏｓｔｒｕｃｔｕｒｅ）」という表現は、支持される材料をマイクロ流体的に操作するのに適した断面寸法を有する密閉された単一のマイクロチャネルまたはマイクロチャネルを相互接続する相互接続ネットワークを意味しかつ言及する。分析処理の複数の工程または段階を、好適に構成された一つのマイクロチャネル構造内で実行することができる。各種の複合された構成が、例えば米国特許第５９００１３０明細書および米国特許第６００７６９０号明細書に開示されており、これらの内容を参照することによって本明細書の記載に代える。
【手続補正４】
【補正対象書類名】明細書
【補正対象項目名】００３１
【補正方法】変更
【補正の内容】
【００３１】
チャネルの内側は、マイクロ構造の強度を高めるために、電気浸透流の改変、強化または減少の為、電気泳動流の強化もしくは減少の為、表面の疎水性／親水性の改変の為、および、選択された化合物の結合の為などの材料により被覆され得る。被覆の代表例は、シリル、（ビニル結合）ポリアクリルアミド、メチルセルロース、ポリエーテル、ポリビニルピロリドン、ポリエチレングリコールなどであるが、ポリプロピレン、テフロン（ポリテトラフルオロエチレン）（登録商標）（デュポン社）、ナフィオン（全フッ素化イオノマー）（登録商標）（デュポン社）、スルホン酸ポリスチレンなども使用され得る。また、米国特許第５９３５４０１号明細書も参照することで本明細書の記載に代える。
【手続補正５】
【補正対象書類名】明細書
【補正対象項目名】００４４
【補正方法】変更
【補正の内容】
【００４４】
認識されるように、図１Ａ、図１Ｂに例示される構造から得られるマイクロチャネルの幅はスペーサ用薄片内のスリットの幅によって定められ、マイクロチャネルの厚さは密閉用薄片１２および１４の並置された表面１３、１５の間の距離によって定められるが、この距離はスペーサ用薄片の厚さに近似する。前述したように、マイクロチャネルは毛管状寸法であり、すなわち、マイクロチャネルの大きい方の断面寸法（普通は幅）は通常約７５０μｍよりも大きくなく、さらに普通には約５００μｍよりも大きくなく、最も普通には約１００μｍから約２５０μｍの範囲内にある。また、小さい方の断面寸法（普通は深さ）は幾分小さいことがある。
【手続補正６】
【補正対象書類名】明細書
【補正対象項目名】００４５
【補正方法】変更
【補正の内容】
【００４５】
普通、一般に前述したように、リザーバまたはアクセスポートまたはレセプタクルが、分析処理の様々な成分（試料、緩衝液または溶剤、試験化合物等）をマイクロチャネル構造に導入するために形成される。これらは例えば、図１Ｂに例示されるような、ベース用薄片１２またはカバー用薄片１４を通る穿孔９の形態である。例えば図１Ｂに示されるように、リザーバまたはアクセスポートまたはレセプタクルが、チャネルが形成されている薄片以外の薄片に形成される場合、これらリザーバ等は複合物が組み立てられたときにマイクロチャネル構造の適当な場所に適切に整列するよう配置される必要がある。従って、図１Ｂでは、スペーサ用薄片１１がベース用薄片１２およびカバー用薄片１４の並置された表面１３、１５の間にはさまれているときに、カバー用薄片１４の穿孔９は、スペーサ用層１１に形成されたマイクロチャネルの端部に整列するよう配置される。
【手続補正７】
【補正対象書類名】明細書
【補正対象項目名】００６７
【補正方法】変更
【補正の内容】
【００６７】
ここで図８ａ、図８ｂを参照すると、本発明によるマイクロ構造式装置の代替実施形態の一部が、リザーバおよびマイクロチャネルおよび関連回路を通して見る横断面図で、一般に１７０で示されている。本装置は、略平坦のプラスチック材料１７４から構成されたベース用薄片１７２、低蛍光性ポリマー・フィルム１７７から形成されたシール層１７６、プラスチック・フィルム１７９から形成された裏面回路層１７８、およびポリマー・フィルム１９１から形成された中間回路層１９０からなる。ポリマー製ベース用薄片１７４にはマイクロ構造のリザーバまたはウェル１７１とマイクロチャネル１７３とが形成される。リザーバ１７１と整列する開口１７５がシール層のフィルム１７７を通じて形成される。シール層のフィルム１７７の前面は接着剤１８２を備えているが、これは、図８ｂに示されているように組み立てられたときにシール層とベース用層とを互いに密封する役目を果たす。中間回路層のフィルム１９１の裏面は回路の接点導電性トレース部分またはトレース１８３を備えており、中間回路層のフィルム１９１の前面は接着剤１９２を備えているが、これは、図８ｂに示されているように組み立てられたときに中間回路層のフィルム１９１をシール層１７６に密封する役目を果たす。シール層の開口１７５およびリザーバ１７１と整列する開口１９５が中間回路層１９０を通じて形成される。マイクロチャネル１７３の検出ゾーンと整列する中間検出空隙用開口１９３が中間回路層のフィルム１９１に形成される。マイクロチャネル１７３の検出ゾーンと整列する検出空隙用開口１８０が裏面層のフィルム１７９を通じて形成され、接点導電性トレース部分１８３と整列する接点開口１８１が裏面層のフィルム１７９を通じて形成される。裏面層のフィルム１７９の前面は、接点導電性トレース１８３と整列する一つの領域と、リザーバ１７１と整列する炭素電極または電極部分１８６と接触するもう一つの領域とを有する第二の導電性トレース１８５を備えている。導電性接着剤１８９は、図８ｂに示されるように組み立てられたときに、導電性トレース１８３、１８５間に良好な導電性接着部を形成する。層１７２、１７６、１７８および１９０は必要に応じて、前述された層またはライナ１６、１８と同様の上部および底部剥離層（図示しない）の間にはさまれることが認識される。上部剥離層はリザーバ１７１を密封する。底部剥離層は、裏面層１７８の開口１８０、１８１と整列する開口を備えることがある。ここで図８ｂを参照すると、分析器具の電気接点または電極用プローブ１８８が、裏面層の接点開口によって回路の接点導電性トレース部分または接点部分と接触し、光検出器（図示しない）が、裏面層の検出用開口１８０によってシール層の低蛍光性フィルムを通じてマイクロチャネル内の信号を検出する。導電性トレース１８３、１８５と炭素電極１８６とはマイクロ構造式装置１７０の電気的手段に含まれる。この実施形態では、シール層は回路を含まないため、（二つの回路層から構成される）フレキシブル回路積層物はベース用層およびシール層と別に構成される。さらに、この実施形態ではフレキシブル回路積層物およびベース用層のマイクロチャネルの間の良好な密封作用は必要ないので、フレキシブル回路積層物がベース用層の表面と正確に一致する表面を有する必要はない。
【手続補正８】
【補正対象書類名】明細書
【補正対象項目名】００９８
【補正方法】変更
【補正の内容】
【００９８】
本積層物構造は、内部に形成され第一の薄片４２６の平行な表面４２２および４２７に対して平行な方向に延びる、毛管寸法の少なくとも一つのマイクロ構造４２８、好適には複数のマイクロ構造４２８を備えている。簡単にするために、一つのマイクロ構造４２８だけが図１２に示されている。さらに詳しく言うと、各マイクロ構造４２８は第一の薄片４２６に形成され、第一の薄片の平坦な表面４２２、４２７の一つを通じて延びる。図１３に示されるように、マイクロ構造４２８は第一の薄片４２６の第二のすなわち下方の表面４２７に開いている。図１２に示されるような各マイクロ構造４２８には好適には、交差４３３で交差する第一および第二のマイクロチャネル４３１および４３２が少なくとも含まれる。積層物構造４２１は、各マイクロ構造４２８と流体連通する少なくとも一つの、図示によれば複数の穴またはウェル４３６を備えている。マイクロ構造式装置４０６の一つの好適実施形態では、第一および第二のウェル４３６ａおよび４３６ｂは第一のマイクロチャネル４３１の第一および第二の端部分に形成され、第三および第四のウェル４３６ｃおよび４３６ｄは第二のマイクロチャネル４３２の第一および第二の端に形成される。ウェル４３６はマイクロ構造４２８内の他の位置に形成されることもあり、このことは、本発明の範囲内であることが認識される。各ウェル４３６は、図１３の第一のウェル４３６ａに関連して示されるように、流体を受けるよう利用され、第一の薄片４２６の表面４２２、４２７の間に延びるボアからなり、積層物構造４２１の上部側表面４２２からアクセスできる。ウェル４３６はほぼ１マイクロリットルの寸法であってこの種の液体を受け入れる。
【手続補正９】
【補正対象書類名】明細書
【補正対象項目名】０１０８
【補正方法】変更
【補正の内容】
【０１０８】
マイクロ構造式装置４０６は、他の接点用プローブ組立体と共に前述された方法で使用することができる。例えば、別の接点用プローブ組立体４５６の一部が図１３に示されている。この組立体４５６はプローブ組立体４０９とほぼ同様であるが、複数のトレース・パッド４５７が接点用プローブ４１１と異なる所定のパターンをなして本体４１２に配置されている点が異なっている。各パッド４５７は、その一つが図１３に示されるが、本体の表面４１４に配置された電気的トレース４５８の上方に形成される。トレース４５８は、銅、銀、プラチナ、パラジウム、導電性の炭素またはプラチナを含むポリマー、金属化インクのような他の導電性インク、および表面４１４上に形成された導電性エポキシおよび導電性接着剤といった導電性材料とポリマーの混合物といった何らかの適切な材料から製造される。こうした材料は、蒸着、スクリーン印刷または他の印刷、他の従来のフレキシブル回路製造方法または何らかの他の適切な手段によって表面４１４上に配置される。トレース・パッド４５７は、金および／またはトレース４５８について上記で列挙された材料といった何らかの適切な材料から製造され、トレース４５８に関連して前述された何れかの方法によって対応するトレースの端に形成される。マイクロ構造式装置４０６の球根状接点部分４４４ｂは底部側表面４２３から懸架されており、接点部分４４４ｂとパッド４５７との間の電気的接触を容易にしている。
【手続補正１０】
【補正対象書類名】明細書
【補正対象項目名】０１１０
【補正方法】変更
【補正の内容】
【０１１０】
複数の電気的手段４７１は少なくとも部分的に第二の薄片４６３によって保持される。電気的手段４７１は好適には積層物構造４６２に形成されるウェル４３６と同じ数であり、ウェル４３６は各々対応する電気的手段４７１を有する。この電気的手段４７１には各々、ウェル４３６に供給された流体に通じる電極部分４７１ａと、電極部分４７１ａから間隔の開いた、流体と流体連通しない接点またはパッド部分４７１ｂとが含まれる。電気的手段４７１には各々、対応する電極４７１ａを接点部分４７１ｂに電気的に接続するトレース部分またはトレース４７１ｃが含まれる。図１４から分かるように接点部分４７１ｂは底部側表面４２３に隣接して配置されており、さらに詳しく言うと、底部側表面４２３上に形成されている。電気的トレース４７１ｃは、第二の薄片４６３の表面４６６と４２３の間を横方向に、さらに詳しく言うと対角線方向に延びる通路４７２を通じて接点部分から延び、電極部分４７１ａの下方に位置する上部側表面４６６上に配置されたさらに別の部分を有する。第二の薄片４６３はアクリル樹脂、ポリイミドまたはＰＥＴといった何らかの適切なフレキシブル回路材料から製造される。接点部分４７１ｂとトレース４７１ｃの一部は、銅、銀、プラチナ、パラジウム、導電性炭素またはプラチナを含むポリマーおよび金属化インクのような他の導電性インク、および第二の薄片４６３の上記の表面上に形成された導電性エポキシおよび導電性接着剤といった導電性材料とポリマーの混合物といった何らかの適切な材料から形成される。こうした材料は、蒸着、スクリーン印刷または他の印刷、他の従来のフレキシブル回路製造方法または何らかの他の適切な手段によって第二の薄片のこの表面上に配置される。電極部分４７１ａは、金および／または接点部分４７１ｂとトレース４７１ｃについて上記で列挙された材料といった何らかの適切な材料から形成され、接点部分４７１ｂとトレース４７１ｃに関連して上記で説明されたものような何らかの適切な手段によってトレース４７１ｃ上に形成される。各電極部分４７１ａは対応するウェル４３６の底部側表面の少なくとも一部を形成するものとして示される。また、電極部分４７１ａはウェル４３６の底部側表面全体を形成することも、側壁等からウェルと流体接触するだけのこともある。接点部分４７１ｂは積層物構造４６１とマイクロ構造式装置４６１の外部または底部側表面４２３からアクセスでき、好適には対応するウェル４３６の中心線から間隔が開いている。接点部分４７１ｂは、支持構造４１２上の接点用プローブ４１１のパターンに対応するパターンをなしてマイクロ構造式装置４６１の下側に配置されている。
【手続補正１１】
【補正対象書類名】明細書
【補正対象項目名】０１１１
【補正方法】変更
【補正の内容】
【０１１１】
マイクロ構造式装置４６１は、マイクロ構造式装置４０６に関連して上記で説明されたのとほぼ同じ方法で接点用プローブ４１１と共に動作する。接点用プローブ４１１の丸形端４１１ａは接点部分４７１ｂと同時に嵌合し、望ましい電位を各ウェル４３６内の流体に提供する。
マイクロ構造式装置４６１は、他の接点用プローブ組立体と共に前述された方法で使用されることもある。例えば、別の接点用プローブ組立体４７６の一部が図１４に示されている。組立体４７６はプローブ組立体４０９とほぼ同様であるが、複数のトレース・パッド４７７が接点用プローブ４１１と異なる所定のパターンをなして本体４１２に配置されている点が異なっている。各パッド４７７は、その一つが図１４に示されるが、本体の表面４１４に配置された電気的トレース４７８上に形成される。トレース４７８は、接点用プローブ組立体４５６のトレース４５８に関連して上記で説明されたものような何らかの適切な材料から製造され、トレース４５８に関連して前述されたような何らかの適切な方法によって表面４１４上に配置される。トレース・パッド４７７は、電気的手段４４４に関連して上記で説明されたものような何らかの適切な材料から製造される。球根状トレース・パッド４７７は接点用プローブ組立体４７６の表面４１４とトレース４７８から上向きに延び、接点部分４７１ｂとトレース・パッド４７７の間の電気的接触を容易にしている。
【手続補正１２】
【補正対象書類名】明細書
【補正対象項目名】０１１５
【補正方法】変更
【補正の内容】
【０１１５】
各マイクロ構造４２８について複数の電気的手段５０１が少なくとも部分的に第三の薄片４９６によって保持され、その場合各ウェル４３６は対応する電気的手段５０１を有する。さらに詳しく言うと、各電気的手段５０１は第三の薄片４９６の上部側表面４９７上に配置される。この電気的手段５０１は各々、電極部分５０１ａ、パッドまたは接点部分５０１ｂ、およびトレース部分またはトレース５０１ｃを有する。電気的トレース５０１ｃは、接点部分４７１ｂおよびトレース４７１ｃに関連して前述された何れかの材料のような何らかの適切な材料から製造され、接点部分４７１ｂおよびトレース４７１ｃに関連して上記で説明された何れかのものような何らかの適切な手段によって上部側表面４９７上に配置される。トレース５０１ｃは、対応するウェル４３６の下方に位置する第一の端部分と、第一の薄片４８３の上部および下部側表面４８６および４８７の間に延びるアクセス・ボア５０２と、第二の薄片４８８の上部および下部側表面４９１および４９２の間に延びるアクセス・ボア５０３との下方に位置する第二の間隔の開いた端部分とを有する。電極部分５０１ａは、ウェル４３６の下方に位置するトレース５０１ｃの第一の端部分に配置された材料の層からなる。電極部分５０１ａはウェル４３６の少なくとも一部を形成するものとして図１６に示されている。接点部分５０１ｂは、トレース５０１ｃの向かい合う第二の端部分に配置された材料の層からなり、アクセス・ボア５０２および５０３の下部側表面の役目を果たす。接着層４９９はボア４９３の基部周囲で、電極部分５０１ａと接点部分５０１ｂの間のトレース５０１ｃの部分上に延び、ウェル４３６の底部で流体を密封する。電極部分５０１ａと接点部分５０１ｂとは各々、電極部分４７１ａに関連して前述された何れかの材料のような何らかの適切な材料から製造され、接点部分４７１ｂとトレース４７１ｃとに関連して上記で説明された何れかのものような何らかの適切な手段によって形成される。接点部分５０１ｂは、支持構造４１２上の接点用プローブ４１１のパターンに対応するパターンをなして積層物構造４８２の底部側表面４９８上に配置されていて、その底部側表面４９８からアクセスできる。
【手続補正１３】
【補正対象書類名】明細書
【補正対象項目名】０１１６
【補正方法】変更
【補正の内容】
【０１１６】
マイクロ構造式装置４８１には必要に応じて第四の層または薄片５０６が含まれるが、これはカバー用層４４８とほぼ同様であり、第一のまたは上部側表面５０７と、熱接合または他の方法で第一の薄片４８３の上部側表面４８６に適切に固定された第二のまたは下部側表面５０８とを有している。カバー用薄片５０６は各ウェル４３６上に重なり、流体４５３をウェル内に密封して固定する。アクセス・ボア５０２および５０３に整列する開口５０９がカバー用薄片５０６に形成されていて、接点用プローブ４１１を接点部分５０１ｂに嵌合させる。
【手続補正１４】
【補正対象書類名】明細書
【補正対象項目名】０１２０
【補正方法】変更
【補正の内容】
【０１２０】
各マイクロ構造４２８について複数の電気的手段５３１が少なくとも部分的に第二の薄片５２３によって保持され、その場合各ウェル４３６は対応する電気的手段５３１を有する。さらに詳しく言うと、各電気的手段５３１は第二の薄片５２３の上部側表面５２６上に配置される。この電気的手段５３１は各々、電極部分５３１ａ、パッドまたは接点部分５３１ｂ、およびトレース部分またはトレース５３１ｃを有する。トレース５３１ｃは、接点部分４７１ｂおよびトレース４７１ｃに関連して前述された何れかの材料のような何らかの適切な材料から製造され、接点部分４７１ｂおよびトレース４７１ｃに関連して上記で説明された何れかのものような何らかの適切な手段によって上部側表面５２６上に配置される。トレース５３１ｃは、対応するウェル４３６の下方に位置する第一の端部分と、第一の薄片４２６に形成されていて下部側表面４２７に開いたくぼみまたは空隙５３２の下方に位置する間隔の開いた第二の端部分とを有する。電極部分５３１ａはウェル４３６の下方に位置するトレース５３１ｃの第一の端部分上に配置された材料の層からなり、ウェル４３６の下部側表面の少なくとも一部を形成するものとして図１７に示されている。接点部分５３１ｂはトレース５３１ｃの第二の端部分上に配置された材料の層からなり、好適には下部側表面４２７のくぼみ５３２の開口全体にわたって延びる。電極部分５３１ａと接点部分５３１ｂは各々、電極部分４７１ａに関連して前述された何れかの材料のような何らかの適切な材料から製造され、接点部分４７１ｂおよびトレース４７１ｃに関連して上記で説明された何れかのものような何らかの適切な手段によって形成される。
【手続補正１５】
【補正対象書類名】明細書
【補正対象項目名】０１２６
【補正方法】変更
【補正の内容】
【０１２６】
積層物構造５５２は、第一の薄片５５７上に位置する、プラスチックのような何らかの適切な非導電性材料から製造された第二の層または薄片５６６を有する。さらに詳しく言うと、第二の薄片５６６はアクリル樹脂、ポリイミドまたはＰＥＴといった何らかの適切なフレキシブル回路材料から製造される。第二の薄片５６６は、第一のまたは上部の平坦な表面５６７と、上部側表面５６７から間隔の開いた第二のまたは下部の平坦な表面５６８とを有する。マイクロ構造式装置５５１の一部は図１８では切断され、上部側表面５６７の一部を露出している。第二の薄片５６６は表面５５８および５６８の熱接合といった何らかの適切な手段によって第一の薄片５５７に固定されている。複数のボア５６９が表面５６７および５６８を通じて延び、対応するウェル５６１の第一のまたは下部セグメントを形成する。
【手続補正１６】
【補正対象書類名】明細書
【補正対象項目名】０１２７
【補正方法】変更
【補正の内容】
【０１２７】
上記で説明された電気的手段と同様の複数の電気的手段が少なくとも部分的に第二の薄片５６６によって保持される。さらに詳しく言うと、この電気的手段は第二の薄片５６６の上部側表面５６７によって保持され、単一平面上に延びる。複数の４つの電気的手段５７６から５７９が図１８から図１９に示されている。第一の電気的手段５７６には、電極部分５７６ａ、パッドまたは接点部分５７６ｂ、およびトレース部分またはトレース５７６ｃが含まれる。電気的トレース５７６ｃは、接点部分４７１ｂおよびトレース４７１ｃに関連して前述された何れかの材料のような何らかの適切な材料から製造され、接点部分４７１ｂおよびトレース４７１ｃに関連して上記で説明された何れかのものような何らかの適切な手段によって表面５６７上に配置される。トレース５７６ｃは、第一のマイクロ構造４２８ａ、第二のマイクロ構造４２８ｂおよび第三のマイクロ構造４２８ｃの対応する第一のウェル５６１ａに隣接する複数の第一の端部分を有する。第三のマイクロ構造４２８ｃの第一のウェル５６１ａに隣接するトレース５７６ｃの第一の端部分が図１９に断面図で示されている。このトレース端部分は環状の形状であるが、何らかの適切な形状が提供されうる。何らかの適切な形状の電極部分が各トレース５７６ｃの第一の端部分に配置される。第三のマイクロ構造４２８ｃの第一のウェル５６１ａの電極部分５７６ａは環状の形状であり、第二の薄片５６６の対応するボア５６９の周囲に延びる。さらに詳しく言うと、この環状電極部分５７６ａはウェル５６１の周囲に同心円状に配置される。各環状電極部分５７６ａの中心に開口が提供され、対応するウェル５６１ａの一部を形成する。接点部分５７６ｂは各トレース５７６ｃの第二の端部分に配置されている。電極部分５７６ａと接点部分５７６ｂとは各々、電極部分４７１ａに関連して前述された何れかの材料のような何らかの適切な材料から製造され、接点部分４７１ｂおよびトレース４７１ｃに関連して上記で説明された何れかのものような何らかの適切な手段によって形成される。
【手続補正１７】
【補正対象書類名】明細書
【補正対象項目名】０１２９
【補正方法】変更
【補正の内容】
【０１２９】
第三の電気的手段５７８は、第二の電気的手段５７７の対応する部分とほぼ同様の電極部分５７８ａ、パッドまたは接点部分５７８ｂ、およびトレース部分またはトレース５７８ｃを有する。電気的トレース５７８ｃは、各第三のウェル５６１ｃに隣接する第一の端部分と、接点部分５７６ｂおよび５７７ｃに隣接する第二の端部分とを有する。電極部分５７８ａは、対応するウェル５６１ｃに隣接する各トレース５７８ｃの第一の端に配置され、ウェル５６１ｃの一部だけに嵌合する。各電極部分５７８ａとその下方のトレース５７８ｃの一部は対応するウェル５６１ｃの中心線に対して約３０°未満の角度をなし、ウェル内のマイクロチャネル４３２の入り口の正反対になるようにウェル内に配置されている。接点部分５７８ｂは、接点部分５７６ｂおよび５７７ｂに隣接するトレース５７８ｃの第二の端部分に配置されている。第四の電気的手段５７９は、各々第一の電気的手段５７６の対応する部分の材料から形成され、第一の電気的手段５７６と同じ方法で上部側表面５６７に配置される電極部分５７９ａ、パッドまたは接点部分５７９ｂ、およびトレース部分またはトレース５７９ｃを有する。電気的トレース５７９ｃは、各第四のウェル５６１ｄに隣接する第一の端部分と、接点部分５７６ｂ、５７７ｂおよび５７８ｂに隣接する第二の端部分とを有する。電極部分５７９ａは、対応するウェル５６１ｄに隣接するトレース５７９ｃの各第一の端部分に配置され、図１８に示されるように、電極部分５７８ａと同様の形状を有する。
【手続補正１８】
【補正対象書類名】明細書
【補正対象項目名】０１３０
【補正方法】変更
【補正の内容】
【０１３０】
第三の層または薄片５８６は積層物構造５５２に含まれ、第二の薄片５６６上に位置する。第三の薄片５８６は第二の薄片５６６と同様の構造、寸法および組成であり、第一のまたは上部の平坦な表面５８７と、上部側表面５８７に平行に延びる第二のまたは下部の平坦な表面５８８とを有する。マイクロ構造式装置５５１の一部は図１８では切断され、上部側表面５８７の一部が露出されている。第三の薄片５８６の下部側表面５８８は接着層５８９によって第二の薄片５６６の上部側表面５６７に固定されるが、層５６６および５８６は熱接合のような何らかの他の適切な手段によって互いに固定されることもある。複数のボア５９１が、マイクロ構造式装置５５１の各ウェル５６１の第二のまたは中間部分を形成する上部および下部側表面５８７および５８８の間に延びる。ボア５９１は各々、第二の薄片５６６のボア５６９の内径より大きい内径を有し、ウェル５６１の中間部分の直径はボア５６９が形成するウェルの下部部分より大きい。ボア５９１の内径は十分に大きいので、第二の薄片５６６上に形成される電極部分５７６ａ、５７７ａ、５７８ａおよび５７９ａはウェル５６１内の流体４５３にさらされる。図１８では図示されているが識別されない開口が表面５８７および５８８を通じて形成され、第三の薄片５８６を通じた接点部分５７６ｂ、５７７ｂ、５７８ｂおよび５７９ｂへのアクセスを可能にする。
【手続補正１９】
【補正対象書類名】明細書
【補正対象項目名】０１３１
【補正方法】変更
【補正の内容】
【０１３１】
第二の薄片５６６上の電気的手段とほぼ同様の複数の電気的手段が第三の薄片５８６によって少なくとも部分的に保持される。すなわち、複数の第五の電気的手段５９６および複数の第六の電気的手段５９７が、積層物構造５５２によって形成される各マイクロ構造４２８の上部側表面５８７上に保持される。簡単にするために、第五および第六の電気的手段５９６および５９７は、図１８および図１９では第二のマイクロ構造４２８ｂおよび第三のマイクロ構造４２８ｃに関してのみ示されている。第五および第六の電気的手段５９６および５９７は上記で説明された電気的手段５７６から５７９とほぼ同様の構造と材料である。第五の電気的手段５９６は各々、電極部分５９６ａ、パッドまたは接点部分５９６ｂ、およびトレース部分またはトレース５９６ｃを有する。各電気的トレース５９６ｃは、対応する第一のウェル５６１ａに隣接する第一の端部分と、対応するウェル５６１ａから間隔の開いた第二の端部分とを有する。各トレース５９６ｃの第一の端部分は環状の形状であるが、何らかの適切な形状が提供され、第一のウェル５６１ａの周囲に延びる。環状の形状のものとして示される電極部分５９６ａが各トレース５９６ｃの第一の端部分の上部に配置される。各トレース５９６ｃと各電極部分５９６ａの第一の端部分とは、対応する第一のウェル５６１ａの一部を形成する開口をその中心に有する。接点部分５９６ｂは各トレース５９６ｃの第二の端部分上に配置される。第六の電気的手段５９７は各々、電極部分５９７ａ、パッドまたは接点部分５９７ｂ、およびトレース部分またはトレース５９７ｃを有する。各電気的トレース５９７ｃは、対応する第五のウェル５６１ｅに隣接する第一の端部分と、ウェル５６１ｅから間隔の開いた第二の端部分とを有する。電極部分５９７ａは各トレース５９７ｃの第一の端部分上に配置され、第五のウェル５６１ｅ内の流体に接触する。この点で、各電極部分５９７ａは上記で説明された電極部分５７７ａおよび５７８ａとほぼ同様である。接点部分５９７ｂは各電極トレース５９７ｃの第二の端部分上に配置される。
【手続補正２０】
【補正対象書類名】明細書
【補正対象項目名】０１４３
【補正方法】変更
【補正の内容】
【０１４３】
本発明は、第一の薄片の第一および第二の平行な表面に平行な方向に延びる少なくとも一つのマイクロ構造を備える第一の薄片を有する積層物構造を備えるマイクロ構造式装置として広範に特許請求される。積層物構造は、少なくとも一つのマイクロ構造と流体連通する複数のウェルの少なくとも一部を形成する、第一の薄片または第二の薄片の複数の間隔の開いたボアを備えている。上記で説明された種類の電気的手段が複数のウェルの各々について積層物構造によって保持される。必要に応じて、第一の薄片は追加マイクロ構造を備え、積層物構造はその薄片の一つに追加の複数の間隔の開いたボアを備え、この追加マイクロ構造と流体連通する追加の複数のウェルの少なくとも一部を形成する。必要に応じて提供される追加電気的手段は追加の複数のウェルの各々について積層物構造によって保持されることがあり、その場合追加電気的手段は最初に挙げた電気的手段上に配置され、最初に挙げた電気的手段と電気的に絶縁される。積層物構造の絶縁層が、必要に応じて最初に挙げた電気的手段と追加電気的手段の間に配置される。